(57)【特許請求の範囲】
【請求項１】
流体を圧縮する圧縮機本体と、
前記圧縮機本体を覆い、前記圧縮機本体の騒音を遮蔽する防音箱と、
前記防音箱に設けられ、前記圧縮機本体を操作する操作パネルとを備え、
前記防音箱の側面の一部を前記防音箱の外側に向けて上方から下方に開く開閉部とし、
前記開閉部には外側に向けて前記操作パネルが配置され、
前記操作パネルの裏側には制御基板が接続されることを特徴とするパッケージ型圧縮機。
【請求項２】
前記開閉部を所定の角度以上に開かないようにするストッパを前記開閉部に設けることを特徴とする請求項１に記載のパッケージ型圧縮機。
【請求項３】
前記防音箱の内部から前記開閉部を覆う操作パネルカバーを設けることを特徴とする請求項１に記載のパッケージ型圧縮機。
【請求項４】
前記制御基板は、前記開閉部が開いた状態で前記開閉部に対して、前記防音箱の内側から外側に向けて高くなるように傾斜して設けられ、
前記開閉部は、前記防音箱の外側に向けて低くなるように開くことを特徴とする請求項１に記載のパッケージ型圧縮機。
【請求項５】
前記開閉部は、前記防音箱にボルトにより取り付けられ、前記ボルトが取り付けられた部分を支点にして前記防音箱の外側に向けて開くことを特徴とする請求項２に記載のパッケージ型圧縮機。
【請求項６】
前記ストッパは、前記防音箱に設けられたスリット内を上下に移動することを特徴とする請求項２に記載のパッケージ型圧縮機。
【請求項７】
前記開閉部が開いた状態で、前記制御基板を前記開閉部に取り付けるネジの頭が上方を向くことを特徴とする請求項４に記載のパッケージ型圧縮機。
【請求項８】
前記制御基板と前記圧縮機本体を駆動するモータとを接続する配線と、
前記配線を前記制御基板に取り付ける取付部材とを設け、
前記取付部材は、前記開閉部が開いた状態で、上方を向くように配置されることを特徴とする請求項４に記載のパッケージ型圧縮機。
【請求項９】
前記開閉部が開く角度を複数段階に調整できることを特徴とする請求項２に記載のパッケージ型圧縮機。
【請求項１０】
前記開閉部の回転中心が移動させて前記開閉部が開く角度を調整することを特徴とする請求項９に記載のパッケージ型圧縮機。
【発明の詳細な説明】
【技術分野】
【０００１】
本発明は、パッケージ型圧縮機に関する。
【背景技術】
【０００２】
特許文献１に記載のパッケージ型圧縮機は防音箱の板体にボルトにより操作パネルが取り付けられている。特許文献２の操作盤付き筐体は、保護カバーに設けられた操作盤が筐体に取り付けられている。特許文献３のパッケージ型スクリュー圧縮機は、箱体の左右に開くドアパネルに操作盤が設けられている。
【先行技術文献】
【特許文献】
【０００３】
【特許文献１】特開２００４−３６４００号公報
【特許文献２】特開２００１−２８４８３２号公報
【特許文献３】特開平６−１０１６６９号公報
【発明の概要】
【発明が解決しようとする課題】
【０００４】
特許文献１に記載のパッケージ型圧縮機は、操作パネルが、防音箱の板体に複数のボルトにより固定されているため、一部のボルトを外したり緩めたりすることにより、操作パネルの一部が防音箱に取り付けられた状態で操作パネルを裏返してメンテナンス作業を行うことができず、メンテナンス作業の容易性が考慮されていなかった。
【０００５】
特許文献２に記載の操作盤付き筐体は、保護カバーと操作盤が複数のボルトにより筐体に固定されているため、一部のボルトを外したり緩めたりすることにより、操作盤の一部が筐体に取り付けられた状態で操作盤を裏返してメンテナンス作業を行うことができず、メンテナンス作業の容易性が考慮されていなかった。
【０００６】
特許文献３に記載のパッケージ型スクリュー圧縮機は、ドアパネルが左右に開く構造のため、ドアパネルを開いて操作盤のメンテナンス作業を行ったとき、ボルト等の部品を操作盤の裏側に置いて作業をすることができず、メンテナンス作業の容易性が考慮されていなかった。
【０００７】
本発明は、上記問題点に鑑み、操作パネルを防音箱の開閉部に設けることで、メンテナンス作業を容易に行うことができるパッケージ型圧縮機を提供することを目的とする。
【課題を解決するための手段】
【０００８】
上記課題を解決するため、本発明は、流体を圧縮する圧縮機本体と、前記圧縮機本体を覆い、前記圧縮機本体の騒音を遮蔽する防音箱と、前記防音箱に設けられ、前記圧縮機本体を操作する操作パネルとを備え、前記防音箱の側面の一部を前記防音箱の外側に向けて上方から下方に開く開閉部とし、前記開閉部の外側向けて前記操作パネルが配置され、前記操作パネルの裏側には制御基板が接続されることを特徴とするパッケージ型圧縮機を提供する。
【発明の効果】
【０００９】
本発明によれば、操作パネルを防音箱の開閉部に設けることで、メンテナンス作業を容易に行うことができるパッケージ型圧縮機を提供することができる。
【図面の簡単な説明】
【００１０】
【図１】本発明の実施例１におけるパッケージ型圧縮機の全体図である。
【図２】本発明の実施例１におけるパッケージ型圧縮機前面板を外し、開閉部を開いた図である。
【図３】本発明の実施例１におけるパッケージ型圧縮機の内部を示した図である。
【図４】本発明の実施例１における操作パネルカバーを裏側から見た図である。
【図５】本発明の実施例１におけるパッケージ型圧縮機の操作パネルカバーを外した図である。
【図６】本発明の実施例２における開閉部を示した図である。
【発明を実施するための形態】
【実施例１】
【００１１】
図１は本実施例１におけるパッケージ型圧縮を外から見た全体図である。本実施例におけるパッケージ型圧縮機は、後述する圧縮機本体９から発生する騒音を遮断する防音箱３に全体が覆われており、防音箱３の開閉部２には圧縮機本体９の駆動を操作する操作パネル１が取り付けられている。開閉部２は、防音箱３の側面の一部に設けられ、図２に示すように防音箱３の外側に向けて上方から下方に開く構造となっている。
【００１２】
図２、３は本実施例におけるパッケージ型圧縮機の内部を示したものである。本実施例におけるパッケージ型圧縮機は、モータ８が回転することによって、圧縮機本体９を駆動し、圧縮機本体９で圧縮された流体はタンク１０に貯留される。圧縮機本体９は例えば、シリンダ内でピストンが往復動することによって、流体を圧縮される往復動圧縮機によって、構成されているが、本発明におけるパッケージ型圧縮機は、往復動圧縮機に限定されず、スクロール式圧縮機やスクリュー式圧縮機であってもよい。モータ８と圧縮機本体９とはプーリにより接続されており、モータ８の回転はプーリによって圧縮機本体９に伝えられる。プーリには冷却ファン１１が取り付けられている。冷却ファン１１によって、防音箱３の外部から冷却風Ａをモータ８、圧縮機本体９、タンク１０等に供給し、モータ８、圧縮機本体９の発熱により、防音箱３内が高温になるのを抑制する。ここで、冷却風Ａは、防音箱３内部の機器を冷却した後、後述の操作パネルカバー７の背面側を通過し、防音箱３の上部に設けた排気口１６より外部へ排出される。パッケージ型圧縮機の操作は操作パネル１によって行い、操作パネル１の裏側には圧縮機本体９およびこれと連動するモータ８を制御する制御基板６が取り付けられており、制御基板６はモータ８、タンク１０内の圧力を検出する圧力センサ等の制御機器（図示せず）と配線１４を介して接続されている。操作パネル１は、モータ８の制御の他、運転状態の表示を行う。また、操作パネル１によって仕様の異なる製品の設定調整を実施するためのプログラム設定が可能である。
【００１３】
本実施例における開閉部２について、図２〜５を用いて説明する。制御基板６の部品の交換や防音箱３内部の清掃を行う場合、回転用固定ネジ５（両側１箇所づつ、図１では左側のみ図示）を緩め、防音箱３の上面板を取り外す。次に開閉部２と操作パネルカバー７との締結部（図示せず）を外すと、開閉部２は回転用固定ネジ（ボルト）５を中心に（支点として）正面側下側に回転しながら防音箱３の外側に向けて開く。このとき、図４に示すストッパ部１２が、図５に示す防音箱３に設けられたスリット１３の範囲内で移動し、スリット１３の上部で開閉部２が所定の角度以上開かないように保持される。スリット１３の大きさを規定することで、開閉部２の開く角度を調整することができる。
【００１４】
ここで、制御基板６は操作パネル１、開閉部２に対して、図４に示すように傾斜を有した取り付けとなっていてもスリット９の上部の位置を適正化することで、開閉部２を防音箱３の外側に向けて低くなるように開くようにして、制御基板６は、地面に対し水平とすることが可能となる。制御基板６を地面に対して水平とすることで、制御基板６を操作パネル１からの取り外し、組み付け作業をする際に、制御基板６を固定しているネジの頭を上方（作業者に向かう方向）に向けることができ、ドライバー等の工具を下方に向けてネジを下方に向けて取り付けることができるため、作業を容易に実施することができる。制御基板６は、開閉部２を開いた状態で、防音箱３の外側に向けて高くなるように傾斜しているほうが視認性の面では有利である一方、メンテナンス等では、水平に配置できることが望ましい。
【００１５】
ここで、特許文献１、２のように操作パネル１を取り外し構造とした場合、操作パネル１を水平に配置すると制御基板６は、傾斜した状態になり、作業性を向上させることができない。一方、本実施例では、制御基板６を開閉部２に対して、傾斜した状態で形成し、開閉部２を防音箱３の外側に向けて低くなるように傾斜した状態で開くことにより、制御基盤６をほぼ水平の配置でき、制御基板６の視認性および作業性を同時に満足することができる。また、制御基板６を固定するネジ（図示せず）は小さく、例えば、制御基板６の取付や交換等の作業時に落としやすいことが考えられたが、本実施例では、開閉部２が防音箱３の外側に向けて上方から下方に開く構造となっているので、ネジを誤って落としたとしても開閉部２の上面板２ａおよび側面板２ｂ、２ｃが受け皿となり、落下を防止できる。さらに、開閉部２にネジ等を置いて作業をすることができ、作業性をさらに向上させることができる。
【００１６】
さらに、制御基板６を固定するネジは、開閉部２を開いた状態で、工具等での締め付けを容易にできるよう、ネジ頭部が上方を向くように取付ることで、上方からの作業性を向上させることができる。また、制御基板６には配線１４をコネクタ等の取付部材１４ａを介して取り付ける。開閉部２を開いた状態で、上方に向くように取付部材１４ａを取り付けることにより、配線１４の取り付け、取り外し作業を制御基板６に対して、上下方向に行うことができ、配線作業時の作業性を向上させることが可能となる。
【００１７】
また、本実施例では、開閉部２を防音箱３の内部から覆う操作パネルカバー７を有する。図５に示すように、操作パネルカバー７は上面折り曲げ部７ａ、下面折り曲げ部７ｂからなるコの字状の形状をしており、側面部は開口となっているが、防音箱３の側面パネルにより防音箱３内部との隙間は小さくなっている。これらの形状により、開閉部２を閉じた状態で、制御基板６および配線１４等を防音箱３の内部から隔離した状態とすることが可能となる。さらに、操作パネルカバー７の下面折り曲げ部７ｂと開閉部２の下面板２ｄは、開閉部２を閉じた状態で、防音箱３の内部との隙間をできるだけ小さくするように、連続させる構成とすると外気から吸込んだ粉塵等が制御基板等に付着するのをさらに抑制することができる。なお、操作パネルカバーの側面部に折り曲げ部7ｃ、7ｄを設けて、配線１４が通る部分のみが開口した箱状にしてもよい。上記の形状にすることにより、冷却ファン１１によって発生した冷却風Ａは、防音箱３内部の機器を冷却した後、後述の操作パネルカバー７の背面側を通過し、防音箱３の上部に設けた排気口１６より外部へ排出される。そのため、外気より吸い込んだ粉塵等が制御基板６や配線１４および取付部材１４ａ等の電気部品に付着することを防止することができる。さらに、粉塵だけでなく、上方から落下する水滴等について操作パネルカバー７の上面折り曲げ部７ａが基板を覆っているので基板への水滴落下を防止することが出来る。さらに、圧縮機本体９を運転しつつ、メンテナンス作業等を行う場合には、防音箱３の上面板を取り付けてから作業を行えば、操作パネルカバー７によって、圧縮機本体９から発生する騒音を抑制することができる。
【００１８】
また、制御基板６を取り外す場合、特許文献１、２のように制御基板６が取り付けられている防音箱３の側面板を完全に取り外して作業を行うと、取り外しや取付けに手間取ったり、狭い場所では取り扱い性が悪く、落下等の危険性もある。一方、本実施例の場合、開閉部２を完全に取り外すことなく制御基板６を、容易に取り外し等でき、制御基板等を落下させることなく、取り扱い性もよく、作業の能率を上げることが可能である。
【００１９】
以上より、本実施例によれば、操作パネル１を防音箱３の開閉部２に設け、開閉部２を防音箱３の外側に向けて上方から下方に開く構造にしたため、操作パネル１の裏側に配置された制御基板６のメンテナンス作業を行う場合に、ネジ、ボルト等の部品を開閉部２に置いて作業をすることができ、メンテナンスの作業性を向上させることができる。
【実施例２】
【００２０】
図６を用いて本発明の実施例２におけるパッケージ型圧縮機について説明する。本実施例において、実施例１と同一の構成については、同一の符号を付し、その説明を省略する。本実施例では、図６に示すように、開閉部２の回転用固定ネジ５の取り付け部１５を楕円形とすることで、開閉部２の回転中心を移動させることができ、開閉部２が開く角度を複数段階で調整できることを特徴としている。
【００２１】
図６の中央の図のように、開閉部２の回転中心（回転用固定ネジ５がある部分）が防音箱３の内側よりにある場合は、開閉部２を大きな角度回転させないと、ストッパ１２がスリット１３の上部に当たらないため、開閉部の開く角度が大きくなる。一方、図６の右の図のように開閉部２の回転中心（回転用固定ネジ５がある部分）が防音箱３の外側よりにある場合は、開閉部２を大きく回転させなくても、ストッパ１２がスリット１３の上部に当たるようになり、開閉部の開く角度が小さくなる。
【００２２】
本実施例によれば、開閉部２が開く角度を複数段階で調整できるので、制御基板６のメンテナンス作業における作業性・視認性を状況に応じて向上させることができる。
【符号の説明】
【００２３】
１    操作パネル
２    開閉部
３    防音箱
４    前面板
５    回転用固定ネジ
６    制御基板
７    操作パネルカバー
８    モータ
９    圧縮機本体
１０  タンク
１１  冷却ファン
１２    ストッパ部
１３    スリット
１４    配線
１５    回転用固定ねじ取り付け穴
１６    排気口
【図１】
0005913993.tif 000002
【図２】
0005913993.tif 000003
【図３】
0005913993.tif 000004
【図４】
0005913993.tif 000005
【図５】
0005913993.tif 000006
【図６】
0005913993.tif 000007